(57)【要約】【課題】屋外から住居等に入る際に人体に付着した花粉等を吹き飛ばして、住居等内に花粉等を持ち込まないことで花粉症や喘息を防御するとともに、使用時に花粉等を吸い込んだり頭部又は顔部に直接高速ジェットが当たったりする不快感をなくしたエアシャワー装置を提供する。【解決手段】本発明のエアシャワー装置１は、プレフィルタ２及びメインフィルタ５で清浄化された清浄空気をファン３により高速ジェットとして天井部吹出口８及び側面部吹出口９ａ〜９ｃからエアシャワー室１０内に吹き出すものである。側面部吹出口９ａ〜９ｃは、エアシャワー室１０内の人Ｐの首から腰部付近に吹き出すようにエアシャワー室１０の側面部に配置された複数のノズル状吹出口であり、天井部吹出口８は、エアシャワー室１０内の天井部の所定箇所に配置され、人Ｐの頭部よりも大きい径を有する略円形状のスリットから構成されている。【選択図】図１
2007255778.tif 000002
【特許請求の範囲】
【請求項１】
フィルタで清浄化された清浄空気をファンにより天井部及び側面部に設けた吹出口から高速ジェットとしてエアシャワー室内に吹き出すエアシャワー装置において、
前記側面部吹出口は、前記エアシャワー室内の所定の位置にいる人の首から腰部付近に吹き出すように前記エアシャワー室の側面部に配置された複数のノズル状吹出口であり、
前記天井部吹出口は、前記エアシャワー室内の天井部の所定箇所に配置され、前記所定の位置にいる人の頭部よりも大きい径を有する略円形状のスリットから構成されることを特徴とするエアシャワー装置。
【請求項２】
前記略円形状のスリットに対応する所定位置に、前記略円形状のスリットから吹き出す清浄空気を前記所定の位置にいる人に案内するガイドを更に設けたことを特徴とする請求項１に記載のエアシャワー装置。
【請求項３】
前記エアシャワー室の天井部における前記略円形状のスリットの内部に、頭部用のノズル状吹出口を更に設けたことを特徴とする請求項１又は２に記載のエアシャワー装置。
【請求項４】
前記ファンは２台設けられ、該２台のファンにより前記天井部吹出口と前記側面部吹出口のそれぞれから高速ジェットを吹き出すことを特徴とする請求項１乃至３のいずれかに記載のエアシャワー装置。
【請求項５】
前記エアシャワー装置は、花粉症防御用のものであることを特徴とする請求項１乃至４のいずれかに記載のエアシャワー装置。
【発明の詳細な説明】
【技術分野】
【０００１】
本発明は、マンション、アパート等の居住空間の出入口に設けて花粉症の原因となる花粉やその他の有害な粉塵等の居住空間への浸入を防御するためのエアシャワー装置に関するものである。
【背景技術】
【０００２】
従来から、マンション、アパート等の居住空間の出入口に設けて花粉症の原因となる花粉等の浸入を防御するためのエアシャワー装置が知られている（例えば、特許文献１及び特許文献２参照）。
【０００３】
この特許文献１に開示されるエアシャワー装置では、エアシャワー室内に人が二人入室可能であり、エアシャワー室内の天井部及び左右の各側面部にそれぞれ等間隔で４個の高速ジェット吹出口が配けられている。詳細に説明すると、特許文献１のエアシャワー装置では、エアシャワー室内に入室した二人の人（ここでは、説明を容易にするため、二人の人はエアシャワー室内で左右に位置するものとする）には、右に位置する人に対し、右側面部の上部空間、人の頭部、胸部、腰部の４箇所から高速ジェットが吹き出すとともに、天井部から頭部付近及び身体をかすめる程度の空間の２箇所に高速ジェットが吹き出すように構成されている。また、左に位置する人に対しても同様に、左側面部の４箇所及び天井部の２箇所から高速ジェットが吹き出すように構成されている。
【０００４】
また、特許文献２には、エアシャワー室の天井部にエアカーテン吹出口及びエアジェット吹出口を設けるとともに、これらのエアカーテン吹出口及びエアジェット吹出口のいずれから空気を吹き出すかを切り換えるための気流切換用スライドダンパを設けたエアシャワー装置が開示されている。詳細に説明すると、特許文献２のエアシャワー装置では、手動又は電動操作によりスライドダンパを作動して気流をエアジェット気流とエアカーテン気流とで切り換えるようになっている。すなわち、エアシャワー室の出入口等の側壁に沿って配置されているエアカーテン吹出口から空気を吹き出す場合には、比較的低速のエアカーテン気流が吹き出され、エアシャワー室天井面の中央部に分散配置されたエアジェット吹出口から空気を吹き出す場合には、その前段に設けられた加圧室により空気圧力を上昇させて、高速のエアジェット気流が吹き出される。このようにエアカーテン気流を利用することにより、エアジェット気流で飛散した花粉等はいつまでもエアシャワー室に留まることなく、エアシャワー室の下部に設けられた空気取入口から排出される。
【０００５】
【特許文献１】特開平４−５８９５３号公報
【特許文献２】特開昭６３−４４９８２号公報
【発明の開示】
【発明が解決しようとする課題】
【０００６】
しかしながら、特許文献１に開示されるエアシャワー装置では、人がエアシャワー室に入室し、高速ジェットが吹き付けられると、側面部吹出口から吹き出された高速ジェットが首部、腹部付近に当たって、上方に巻き上げられてしまう場合がある。このような場合において、人はエアシャワー室内で回転等の動作を行うことから、天井部吹出口から吹き出された高速ジェットが必ずしも巻き上がった花粉等を含む空気を下方へ送り出すとは限らず、特に、エアシャワー室内の人が巻き上げられた花粉等を含む空気を鼻や口から吸引したり、花粉等が目に入ったりするという問題があった。
また、特許文献１に記載のエアシャワー装置では、側面の全面に等間隔に高速ジェット吹出口が配置されているので、側面部吹出口から吹き出された高速ジェットが顔部に直接当たってしまう場合もあり、そのような場合には入室した人に不快感を感じさせてしまうという問題があった。
【０００７】
また、特許文献２に開示されるエアシャワー装置では、エアジェット気流により飛散した花粉等は、エアカーテン気流側に飛散した場合には、エアシャワー室内に浮遊することなく速やかにエアシャワー室外に排出されるものの、複数のエアジェット吹出口から吹き出されたエアジェット気流が当たらない箇所では、衣類等に付着した花粉等がそのまま残ってしまうだけでなく、飛散した花粉もそのような箇所に再付着する可能性があるという問題があった。
【０００８】
そこで、本発明は、屋外から住居等に入る際に、人体（髪の毛や衣類等）に付着した花粉等を吹き飛ばして（はたき落として）、住居等内に花粉等を持ち込まないことで花粉症や喘息になることを防御（予防）するとともに、使用時に花粉等を吸い込む不快感や高速ジェットが頭部あるいは顔部に直接当たる不快感をなくしたエアシャワー装置を提供することを目的とする。
【課題を解決するための手段】
【０００９】
本発明の発明者は、上記目的を達成するべく、請求項１に記載の通り、フィルタで清浄化された清浄空気をファンにより天井部及び側面部に設けた吹出口から高速ジェットとしてエアシャワー室内に吹き出すエアシャワー装置において、
前記側面部吹出口は、前記エアシャワー室内の所定の位置にいる人の首から腰部付近に吹き出すように前記エアシャワー室の側面部に配置された複数のノズル状吹出口であり、
前記天井部吹出口は、前記エアシャワー室内の天井部の所定箇所に配置され、前記所定の位置にいる人の頭部よりも大きい径を有する略円形状のスリットから構成されることを特徴とする。
【００１０】
また、請求項２に記載のエアシャワー装置は、請求項１に記載のエアシャワー装置において、前記略円形状のスリットに対応する所定位置に、前記略円形状のスリットから吹き出す清浄空気を前記所定の位置にいる人に案内するガイドを更に設けたことを特徴とする。
また、請求項３に記載のエアシャワー装置は、請求項１又は２に記載のエアシャワー装置において、前記エアシャワー室の天井部における前記略円形状のスリットの内部に、頭部用のノズル状吹出口を更に設けたことを特徴とする。
また、請求項４に記載のエアシャワー装置は、請求項１乃至３のいずれかに記載のエアシャワー装置において、前記ファンは２台設けられ、該２台のファンにより前記天井部吹出口と前記側面部吹出口のそれぞれから高速ジェットを吹き出すことを特徴とする。
また、請求項５に記載のエアシャワー装置は、請求項１乃至４のいずれかに記載のエアシャワー装置において、前記エアシャワー装置は、花粉症防御用のものであることを特徴とする。
【発明の効果】
【００１１】
本発明のエアシャワー装置は、請求項１の通り、側面部吹出口及び天井部吹出口から高速ジェットを吹き出すので、屋外において衣類等に付着した花粉や粉塵等を高速ジェットにより吹き飛ばし、払い落とすことができる。これにより、室内に花粉や粉塵等を持ち込むことがない。また、本発明のエアシャワー装置では、天井部吹出口が略円形状のスリットとなっているので、エアカーテン効果を利用して、吹き飛ばされた花粉や粉塵等が衣類等に再付着するのを効果的に防止することができる。
また、人の首から腰部付近に吹き出すように側面部吹出口を配置するとともに、天井部吹出口を室内の所定箇所において人の頭部大の略円形状のスリットから吹き出すように配置したので、天井部吹出口から吹き出された高速ジェットの空気の下降気流のエアカーテン作用（エアカーテン効果）によって、高速ジェットを浴びる際に人体に衝突した気流で巻き上げられた花粉や粉塵等を、利用者が鼻、口から吸い込むこともなく、また、花粉や粉塵等が目に入ることもなく、効果的に除去することができる。これにより、利用者は快適に本発明のエアシャワー装置を利用することができる。
また、天井部吹出口及び側面部吹出口から高速ジェットを直接人の頭部に吹き出すことがないので、利用者は不快感を感じることなく快適に本発明のエアシャワー装置を利用することができる。
【００１２】
本発明のエアシャワー装置は、請求項２の通り、略円形状のスリットに対応する所定位置（例えば、室内側）に、略円形状のスリットから吹き出す清浄空気を所定の位置にいる人に案内するガイドを設けているので、例えば、このガイドを直立あるいは略円方向に若干開いた構造とすることにより、高速ジェットの指向性を高めることができ、人の頭部に高速ジェットを吹き出すことなく、より確実に清浄空気を吹き出すことができる。
【００１３】
本発明のエアシャワー装置は、請求項３の通り、エアシャワー室の天井部における略円形状のスリットの内部に、頭部用のノズル状吹出口を設けているので、花粉等による頭部の汚れがひどい場合には、頭部に直接高速ジェットを当てることにより、花粉や粉塵等をより効果的に払い落とすことができ、花粉等の防御作用を最大化することができる。この場合には、まず頭部用のノズル状吹出口から高速ジェットを吹き出して頭部に付着した花粉等を吹き飛ばし、その後略円形状のスリットから高速ジェットを吹き出すようにすることで、吹き飛ばされた花粉や粉塵等の衣類等への再付着を効果的に防止することができる。
【００１４】
本発明のエアシャワー装置は、請求項４の通り、２台のファンにより天井部吹出口と側面部吹出口のそれぞれから高速ジェットを吹き出すので、高価な風量の大きなファンを使用する必要がなく、同等の性能（特に、風量）を保持したままで、エアシャワー装置の製造コストを削減することができる（通常、風量の小さなファンを２台使用する方が風量の大きなファンを１台使用する場合よりも安価である）。しかも、天井部吹出口から高速ジェットを吹き出すための専用ファンを設けることにより、スリット幅を概ね２倍（例えば、１台の場合に２ｍｍであれば、約４ｍｍ）まで拡げることができるので、エアカーテン効果を十分に発揮させることができる。
また、本発明のエアシャワー装置は、請求項５の通り、特に、花粉防御用のものとして利用することができる。
【発明を実施するための最良の形態】
【００１５】
以下、本発明のエアシャワー装置の好適な実施の形態を添付図面を参照しつつ詳細に説明する。
（第１の実施形態）
図１は、本発明の第１の実施形態におけるエアシャワー装置の断面図であり、図２は、図１のＡ−Ａ線断面図である。まず、第１の実施形態のエアシャワー装置１の構成を説明する。
図１及び図２に示すように、本発明の第１の実施形態におけるエアシャワー装置１は、エアシャワー室１０と、機械室２０、天井室３０とから構成されている。機械室２０には、プレフィルタ２と、ファン３と、メインフィルタ５と、側面部圧力室６が設けられている。エアシャワー室１０と機械室２０とは、プレフィルタ２を介して連結されており、ファン３は、プレフィルタ２を介して清浄化された機械室２０内の空気を取り入れて、メインフィルタ５を介してエアシャワー室１０に清浄空気を吹き出すようになっている。
また、ファン３から吐出された空気は、背面通気口４、メインフィルタ５を通って、側面部圧力室６において圧縮（高圧化）される。この高圧空気は、ノズル状吹出口である側面部吹出口９ａ〜９ｃから、エアシャワー室１０内の所定の位置に立っている人Ｐの首部から腰部付近に吹き出されるとともに、ダクト７を介して略円形状のスリットである天井部吹出口（円形状スリット）８から人Ｐの頭部付近に吹き出される。
【００１６】
ここで、エアシャワー室１０内の人Ｐの立ち位置は、例えば、エアシャワー室１０の中心（エアシャワー室１０内の対角線の交点、あるいは、機械室２０と垂直な方向における壁の中心線と後述する２列の側面部吹出口９ａ〜９ｃの延長線の中心線とが交わる点）である。本実施形態のエアシャワー装置１では、入室した人Ｐがこのようなエアシャワー室１０の中心に立つことができるように、例えば、音声で立ち位置を案内し、あるいは、該当する所定位置に足形を設ける方法を利用することができる。
【００１７】
ファン３としては、シロッコファン(横吹出ファン)、斜流ファン、軸流ファン、遠心ファン等を使用することができる。特に、風量確保の点からシロッコファンが好ましい。
メインフィルタ５としては、粒子除去用、ガス分解除去用、ガス吸着用フィルタ等を適宜組み合わせて使用することができる。粒子除去用フィルタとしては、一般の超ＵＬＰＡ、ＵＬＰＡ、ＨＥＰＡ等の高性能フィルタ、中性能フィルタを使用することができ、ガス分解除去用フィルタとしては、光触媒等の触媒を濾材に担持したものを使用することができ、また、ガス吸着用フィルタとしては、活性炭、活性炭素繊維、イオン交換樹脂、イオン交換繊維等からなる濾材を含むものを使用することができる。
【００１８】
なお、本実施形態のように、エアシャワー室１０から機械室２０へ空気を導くところに使用するフィルタをプレフィルタ２とし、清浄化するフィルタをＨＥＰＡ等のメインフィルタ５とするのが一般的である。また、本実施形態では、プレフィルタ２は、はたき落とされた花粉や粉塵等を効率的にエアシャワー室１０から排出するために、エアシャワー室１０の側壁の床面から多少高い位置に設置されている。
また、本実施形態では、プレフィルタ２とメインフィルタ５との間にファン３を設けているが、本発明はこれに限らず、ファン３の前段あるいは後段にプレフィルタ２及びメインフィルタ５の両方をこの順で設けるような構成であってもよい。
側面部圧力室６は、ファン３から吐出され、メインフィルタ５を通って清浄化された清浄空気を圧縮（高圧化）するための空間であり、上述のように、この側面部圧力室６で高圧化された高圧清浄空気は、側面部吹出口（ノズル状吹出口）９ａ〜９ｃ、円形状スリット８からエアシャワー室１０内の人Ｐに向けて吹き出される。
【００１９】
円形状スリット８は、人Ｐの頭部よりも大きい径を有するものであり、本実施形態では、径６５０〜７５０ｍｍの人の頭部を囲う程度の径で、２〜６ｍｍ程度の幅を有する円形状のスリットである。円形状スリット８に対応する所定位置には、円形状スリット８から吹き出す清浄空気を人Ｐの頭部付近に案内するための長さ５〜１５ｍｍ程度のガイド（図示せず）が設けられている。このように、円形状スリット８の径が人Ｐの頭部大の大きさであるとともに、吹き出される清浄空気を案内するガイドを設けているので、円形状スリット８から吹き出された高速ジェットの空気が直接人Ｐの頭部に吹き出されることがなく、人Ｐの頭部周囲に高速ジェットをスムーズに供給することができる。これにより、利用者は不快感を感じることなく快適にエアシャワー装置１を利用することができる。また、この円形状スリット８から吹き出される高速ジェットの空気の下降気流のエアカーテン作用によって、特に、側面部吹出口９ａ〜９ｃから吹き出された高速ジェットが人体に衝突した際に巻き上げられる花粉や粉塵等を、利用者が鼻、口から吸い込むこともなく、花粉や粉塵等が目に入ることもない。これにより、利用者は更に快適にエアシャワー装置１を利用することができる。
【００２０】
側面部吹出口（ノズル状吹出口）９ａ〜９ｃは、径２５０〜３５０ｍｍの円形開口を有し、図１及び図２に示すように、エアシャワー室１０の機械室２０側の側壁に縦３個×横２個の合計６個設けられている。これらのノズル状吹出口９ａ〜９ｃとしては、吹出面が可動式で上下左右に吹き出し方向を変えられるものを使用するのが好ましい。
天井部吹出口８及び側面部吹出口９ａ〜９ｃから吹き出される高速ジェットの速度は、２０〜３０ｍ／ｓになるようにファン風量能力から吹出口の個数を調整するのが好ましい。例えば、ファン風量が１２ｍ3／分であれば、側面部に６個のノズル状吹出口９ａ〜９ｃと、天井部に１つの円形状スリット８とを配置することにより、所定風速の高速ジェットを吹き出すことができる。
【００２１】
また、天井部吹出口８から吹き出される高速ジェットの風速を側面部吹出口９ａ〜９ｃから吹き出される高速ジェットの風速よりも速くなるように各吹出口の開口面積を設定するのが好ましい。本実施形態のように、１個のファン３を共通のファンとして用いる場合には、側面部吹出口９ａ〜９ｃの開口総面積よりも天井部吹出口８のスリットの開口総面積を小さくすることにより、側面部吹出口９ａ〜９ｃから吹き出される高速ジェットの風速よりも天井部吹出口８から吹き出される高速ジェットの風速を速く（大きく）することができる。これにより、特に、側面部吹出口９ａから吹き出された清浄空気が人Ｐに当たって乱流となり、上方に巻き上げられるのを効果的に防止し、この気流を素早く床方向（プレフィルタ２のある方向）に導くことができる。
【００２２】
エアシャワー室１０は、図２に示すように、屋外側扉１１と、室内側扉１２とを備え、これらの屋内側扉１１と室内側扉１２とが同時に開放されないような構成となっている。
なお、本発明のエアシャワー装置１を利用する人Ｐは、標準的な体型の人を想定しており、例えば、身長１６０〜１７０ｃｍの人である。この場合、人Ｐの首部が床面から１４０〜１５０ｃｍ程度の高さになり、腰部が床面から６０〜７０ｃｍ程度の高さになる。したがって、エアシャワー室１０の機械室２０側の側面（側壁）には、側面部吹出口９ａ〜９ｃが床面から６０〜１５０ｃｍの高さに、例えば等間隔で設置（配置）されている。この側面部吹出口９ａ〜９ｃに設けられるノズル数は、本実施形態では、縦３個×横２個の合計６個としているが、本発明はこれに限らず、使用目的に応じて適宜側面部吹出口のノズル数を決定すればよい。この場合、上述のような高速ジェットの風速となるような風量能力を有するファンを決定する。
【００２３】
次に、図１に示す本発明のエアシャワー装置１の動作を説明する。
人Ｐが屋外側扉１１を開けてエアシャワー室１０内に入室すると、屋外側扉１１を開けたと同時に室内側扉１２が施錠される（インターロック機構）。そして、屋外側扉１１を閉めて人Ｐがエアシャワー室１０の中心に位置すると、ファン３が稼働する（この場合、屋外側扉１１を閉めて所定時間経過後、ファン３が稼働するようにすればよい）。このファン３の稼働により、エアシャワー室１０の空気（汚染空気）がプレフィルタ２を介して機械室２０のファン３の吸込口（図示せず）に導かれ、ファン３の排気口（図示せず）から吐出される。ファン３から吐出された空気は、背面通気口４を通って、メインフィルタ５で清浄化され、側面部圧力室６に供給される。
【００２４】
側面部圧力室６に供給された清浄空気は、そこで加圧され、エアシャワー室１０の側面部吹出口９ａ〜９ｃから高速ジェットとして人Ｐの首部、腹部、腰部に相当する位置に向けて吹き出される。
また、同様に、側面部圧力室６に供給された清浄空気は、側面部圧力室６の上部に連結されたダクト７を通って、天井室３０内の円形状スリットからなる天井部吹出口８に供給され、この円形状スリット８からエアシャワー室１０の人Ｐの頭部付近に相当する位置に向けて吹き出される。
このように側部吹出口９ａ〜９ｃ及び天井部吹出口８から高速ジェットとして清浄空気が吹き出されている間、エアシャワー室１０内の人Ｐは、回転運動等することにより、より効果的に花粉や粉塵等をはたき落とし、除去することができる。
そして、高速ジェットの吹き出しが終了すると、室内側扉１２が開錠されて、エアシャワー室１０内に入室した人Ｐは、居住空間（居室）内へ退室することが可能となる。
【００２５】
（第２の実施形態）
図３は、本発明の第２の実施形態におけるエアシャワー装置の断面図であり、図４は、図３に示すエアシャワー装置のＢ−Ｂ線断面図である。以下、図３及び図４に示すエアシャワー装置１’について、上述した第１の実施形態のエアシャワー装置１との相違点を中心に説明し、同様の事項については、同一の符号で示すとともに、その説明を省略する。
第２の実施形態のエアシャワー装置１’は、エアシャワー室１０の天井部において円形状スリット８の内部にノズル状吹出口９ｄを設けるとともに、側面部吹出口９ａ〜９ｃと天井部吹出口８に対応する２台のファン３ａ、３ｂを設けた点、すなわち、風路を２系統設けた点を除いて、第１の実施形態のエアシャワー装置１と同様の構成である。
【００２６】
各風路の系統について説明する。第１の風路（流路）は、プレフィルタ２を介して、ファン３ａ、背面通気口４ａ、メインフィルタ５ａ、側面部圧力室６ａ、側面部吹出口９ａ〜９ｃの順に流れる風路であり、第２の風路（流路）は、プレフィルタ２を介して、ファン３ｂ、背面通気口４ｂ、メインフィルタ５ｂ、側面部圧力室６ｂ、天井部吹出口（円形状スリット８及び天井部ノズル状吹出口９ｄ）の順に流れる風路である。
【００２７】
本実施形態のエアシャワー装置１’では、このように２つの風路に対しそれぞれファン３ａ、３ｂを設けているので、上記第１の実施形態のエアシャワー装置１に比べ、円形状スリット８のスリット幅を概ね２倍（例えば、１台の場合に２ｍｍであれば、約４ｍｍ）まで拡げることができる。また、安価な風量の小さいファン３ａ、３ｂを用いることができ、高価な風量の大きなファン３を使用する必要がないので、同等の性能（特に、風量）を保持したままで、エアシャワー装置１’の製造コストを削減することができる。
ここで、天井部ノズル状吹出口９ｄは、側面部吹出口９ａ〜９ｃと同様の形状である。また、機械室２０と天井室（天井機械室）３０の間には図示しない開口が設けられている。すなわち、この開口及びプレフィルタ２を通して、天井機械室３０とエアシャワー室１０とが連結されている。なお、天井室３０とエアシャワー装置１’の外部との間に別途プレフィルタを設け、外部から直接空気を取り入れるようにしてもよい。
【００２８】
また、天井部吹出口である円形状スリット８とノズル状吹出口９ｄの間にダンパあるいは切換弁等を設け、円形状スリット８及びノズル状吹出口９ｄから順次高速ジェットを吹き出すように構成してもよい。この場合、例えば、最初にノズル状吹出口９ｄから高速ジェットを吹き出して人Ｐの頭部に付着している花粉や粉塵等を吹き飛ばし（はたき落とし）、次いで円形状スリット８から高速ジェットを吹き出して、エアカーテン効果を利用して、花粉や粉塵等の再付着を防止するように構成するのが好ましい。
【００２９】
次に、図３に示す本発明のエアシャワー装置１’の動作を説明する。
人Ｐが屋外側扉１１を開けてエアシャワー室１０内に入室すると、屋外側扉１１を開けたと同時に室内側扉１２が施錠される（インターロック機構）。そして、屋外側扉１１を閉めて人Ｐがエアシャワー室１０の中心に位置すると、ファン３ａ及び３ｂが稼働する（この場合、屋外側扉１１を閉めて所定時間経過後、ファン３ａ及び３ｂが稼働するようにすればよい）。このファン３ａの稼働により、エアシャワー室１０の空気（汚染空気）がプレフィルタ２を介して機械室２０のファン３ａの吸込口（図示せず）に導かれ、ファン３ａの排気口（図示せず）から吐出される。ファン３ａから吐出された空気は、背面通気口４ａを通って、メインフィルタ５ａで清浄化され、側面部圧力室６ａに供給される。
【００３０】
側面部圧力室６ａに供給された清浄空気は、そこで加圧され、エアシャワー室１０の側面部吹出口９ａ〜９ｃから高速ジェットとして人Ｐの首部、腹部、腰部に相当する位置に向けて吹き出される。
また、ファン３ｂの稼働により、エアシャワー室１０の空気（汚染空気）がプレフィルタ２を介して天井機械室３０のファン３ｂの吸込口（図示せず）に導かれ、ファン３ｂの排気口（図示せず）から吐出される。ファン３ｂから吐出された空気は、天井通気口４ｂを通って、メインフィルタ５ｂで清浄化され、側面部圧力室６ｂに供給される。
側面部圧力室６ｂに供給された清浄空気は、そこで加圧され、エアシャワー室１０への天井部吹出口である円形状スリット８及び天井部ノズル状吹出口９ｄに供給され、この円形状スリット８からエアシャワー室１０の人Ｐの頭部付近に相当する位置に向けて、また、天井部ノズル状吹出口９ｄから人Ｐの頭部に相当する位置に向けて吹き出される。
【００３１】
このように側部吹出口９ａ〜９ｃ及び天井部吹出口８、９ｄから高速ジェットとして清浄空気が吹き出されている間、エアシャワー室１０内の人Ｐは、回転運動等することにより、より効果的に花粉や粉塵等をはたき落とし、除去することができる。
そして、高速ジェットの吹き出しが終了すると、室内側扉１２が開錠されて、エアシャワー室１０内に入室した人Ｐは、居住空間（居室）内へ退室することが可能となる。
【００３２】
（変形例）
図５は、本発明のエアシャワー装置の変形例の断面図である。上記第１又は第２の実施形態におけるエアシャワー装置１、１’のような一人用のエアシャワー装置だけでなく、図５に示すエアシャワー装置１”のような二人の人Ｐ１、Ｐ２用のエアシャワー装置１”に本発明を適用することができる。
この場合、ファン（図示せず）の風量能力を考慮すると、第２の実施形態のように、複数のファン（例えば、第２実施形態のエアシャワー装置１’のように２台のファン、あるいは、二人用の各系統についてもファンを分けて４台のファン）を用いるのが好ましい。
【００３３】
以上、本発明のエアシャワー装置１、１’、１”について添付図面を参照して説明したが、本発明は、上述の実施形態に限定されるものではない。本発明のエアシャワー装置を構成する各部は、同様の機能を発揮し得る任意の構成のものと置換することができる。また、本発明のエアシャワー装置に任意の構成物が付加されていてもよい。
例えば、第１の実施形態のエアシャワー装置１に、第２の実施形態のような天井部ノズル状吹出口９ｄを設けてもよい。逆に、第２の実施形態のエアシャワー装置１’において、天井部ノズル状吹出口９ｄを省略してもよい。
また、側面部吹出口９ａ〜９ｃの設置台数は、第１及び第２の実施形態のような６台とすることなく、それ以上あるいはそれ以下の台数としてもよい。また、本発明のエアシャワー装置では、側面部吹出口は、高速ジェットとして清浄空気を吹き出すことができるのであれば、人Ｐの首部から腰部にかけて鉛直方向に延びた１又は複数のスリットから構成されてもよい。
【産業上の利用可能性】
【００３４】
本発明は、花粉症や喘息を防御するためにマンション等の住居に主として用いることができるが、食品・医薬・製薬等を研究・製造するに際し、雑菌等の室内への浸入（汚染）を特に制御（防止）するために、エアシャワー室の天井部から高速ジェットを吹き出すことを必須とする分野においても利用可能である点で、産業上の利用可能性を有する。
【図面の簡単な説明】
【００３５】
【図１】本発明の第１の実施形態におけるエアシャワー装置の断面図
【図２】図１に示すエアシャワー装置のＡ−Ａ線断面図
【図３】本発明の第２の実施形態におけるエアシャワー装置の断面図
【図４】図３に示すエアシャワー装置のＢ−Ｂ線断面図
【図５】本発明のエアシャワー装置の変形例の断面図
【符号の説明】
【００３６】
１    エアシャワー装置
２    プレフィルタ
３、３ａ、３ｂ    ファン
４、４ａ    背面通気口
４ｂ    天井通気口
５、５ａ、５ｂ    メインフィルタ
６、６ａ    側面部圧力室
６ｂ    天井部圧力室
７    ダクト
８    天井部吹出口（円形状スリット）
９ａ〜９ｃ    側面部吹出口（ノズル状吹出口）
９ｄ    （天井部）ノズル状吹出口
１０    エアシャワー室
１１    屋外側扉
１２    室内側扉
２０    機械室
３０    天井室（天井部機械室）
【図１】
2007255778.tif 000003
【図２】
2007255778.tif 000004
【図３】
2007255778.tif 000005
【図４】
2007255778.tif 000006
【図５】
2007255778.tif 000007